(57)【特許請求の範囲】
【請求項１】
通信機器におけるアンテナ故障に対してシステム機能の補償を行う方法であって、
各アンテナにより受信されたパイロットシンボルに対してそれぞれチャネル推定を行い、前記各アンテナのチャネル推定値を取得することと、
前記チャネル推定値に基づいて、前記各アンテナのノイズエネルギーを取得することと、
前記ノイズエネルギーに基づいて、周波数オフセット推定値を補正することと、
アンテナ故障時のシステム機能の補償を実現するために、補正された周波数オフセット推定値に基づいて、周波数オフセット補償を行うことと、を含む、前記方法。
【請求項２】
前記チャネル推定値に基づいて、各アンテナのノイズエネルギーを取得することは、
前記チャネル推定値に対してフィルタリングを行うことと、
フィルタリングする前のチャネル推定値及びフィルタリングされたチャネル推定値に基づいて、前記ノイズエネルギーを取得することと、を含む
請求項１に記載の方法。
【請求項３】
前記アンテナのノイズエネルギーに基づいて、周波数オフセット推定値を補正することは、
0006490236.tif 000060
である公式に基づいて取得され、
0006490236.tif 000061
が補正された周波数オフセット推定値であり、
0006490236.tif 000062
が補正された位相差であり、
0006490236.tif 000063
、
0006490236.tif 000064
であり、
0006490236.tif 000065
が前記ノイズエネルギーであり、
0006490236.tif 000066
が前記チャネル推定値であり、
0006490236.tif 000067
がキャリアインデックス番号であり、
0006490236.tif 000068
がアンテナインデックス番号であり、
0006490236.tif 000069
がタイムスロットインデックス番号であり、Ｍがキャリアの数であり、
0006490236.tif 000070
がタイムスロット間の時間間隔である
請求項１に記載の方法。
【請求項４】
前記補正された周波数オフセット推定値に基づいて、周波数オフセット補償を行うことは、
前記補正された周波数オフセット推定値に基づいて、シンボル間の周波数オフセット補償位相とシンボル内の周波数オフセット補償位相を取得することと、
前記シンボル間の周波数オフセット補償位相と前記シンボル内の周波数オフセット補償位相に基づいて、周波数オフセット補償を行うことと、を含む
請求項１に記載の方法。
【請求項５】
前記補正された周波数オフセット値に基づいて、シンボル間の周波数オフセット補償位相を取得することは、
通常のサイクリックプレフィックス（Ｃｙｃｌｉｃ  Ｐｒｅｆｉｘ：ＣＰ）に対して、前記シンボル間の周波数オフセット補償位相が
0006490236.tif 000071
であり、
拡張のＣＰに対して、前記シンボル間の周波数オフセット補償位相が
0006490236.tif 000072
であり、
0006490236.tif 000073
が補正された周波数オフセット推定値であり、
0006490236.tif 000074
がキャリアインデックス番号であり、
0006490236.tif 000075
がタイムスロットインデックス番号であり、１ｄａｔａがシンボル間の操作である
請求項４の方法。
【請求項６】
前記補正された周波数オフセット推定値に基づいて、シンボル内の周波数オフセット補償位相を取得することは、
0006490236.tif 000076
である公式に基づいて取得され、
0006490236.tif 000077
がシンボル内の周波数オフセット補償位相であり、
0006490236.tif 000078
が補正された周波数オフセット推定値であり、
0006490236.tif 000079
がキャリアインデックス番号であり、
0006490236.tif 000080
がシンボルインデックス番号であり、
0006490236.tif 000081
がタイムスロットインデックス番号であり、Ｍがキャリアの数であり、２ｄａｔａがシンボル内の操作である
請求項４に記載の方法。
【請求項７】
前記シンボル間の周波数オフセット補償位相と前記シンボル内の周波数オフセット補償位相に基づいて、周波数オフセット補償を行うことは、
前記シンボル間の周波数オフセット補償位相と前記シンボル内の周波数オフセット補償位相に基づいて、周波数オフセット補償係数
0006490236.tif 000082
を決定し、
0006490236.tif 000083
がシンボル間の周波数オフセット補償位相であり、
0006490236.tif 000084
がシンボル内の周波数オフセット補償位相であり、
0006490236.tif 000085
がキャリアインデックス番号であり、
0006490236.tif 000086
がシンボルインデックス番号であり、
0006490236.tif 000087
がタイムスロットインデックス番号である
請求項４に記載の方法。
【請求項８】
通信機器におけるアンテナ故障に対してシステム機能の補償を行う装置であって、
各アンテナにより受信されたパイロットシンボルに対してそれぞれチャネル推定を行い、前記各アンテナのチャネル推定値を取得するように構成される推定モジュールと、
前記チャネル推定値に基づいて、前記各アンテナのノイズエネルギーを取得するように構成される取得モジュールと、
前記ノイズエネルギーに基づいて、周波数オフセット推定値を補正するように構成される補正モジュールと、
アンテナ故障時のシステム機能の補償を実現するために、補正された周波数オフセット推定値に基づいて、周波数オフセット補償を行うように構成される補償モジュールと、を備える、前記装置。
【請求項９】
前記取得モジュールは、
前記チャネル推定値に対してフィルタリングを行うように構成されるフィルタリングサブモジュールと、
フィルタリングする前のチャネル推定値及びフィルタリングされたチャネル推定値に基づいて、前記ノイズエネルギーを取得するように構成される取得サブモジュールと、を備える
請求項８に記載の装置。
【請求項１０】
前記補償モジュールは、
前記補正された周波数オフセット推定値に基づいて、シンボル間の周波数オフセット補償位相とシンボル内の周波数オフセット補償位相を取得し、前記シンボル間の周波数オフセット補償位相と前記シンボル内の周波数オフセット補償位相に基づいて、周波数オフセット補償を行うように構成される
請求項８に記載の装置。
【請求項１１】
コンピュータ記憶媒体であって、
請求項１〜７のいずれか１項に記載の通信機器におけるアンテナ故障に対してシステム機能の補償を行う方法を実行するためのコンピュータ実行可能な命令セットを含む、前記コンピュータ記憶媒体。
【発明の詳細な説明】
【技術分野】
【０００１】
本発明は無線通信分野に関し、特にアンテナ故障の補償方法及び装置に関する。
【背景技術】
【０００２】
ロングタームエボリューション（ＬＴＥ：Ｌｏｎｇ−Ｔｅｒｍ  Ｅｖｏｌｕｔｉｏｎ）が第３世代の移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）グループによって制定されるユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）技術標準の長期発展の結果である。直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術は、スペクトルの高い効率とマルチパス防止への良い性能を有する高速伝送技術として広く注目される。マルチアンテナ技術がＬＴＥシステムのコア技術の一つであり、ＯＦＤＭ技術を組み合わせて多次元信号の共同処理とスケジューリングをよく実現し、システムの柔軟性と伝送効率が大幅に向上させることができる。ＬＴＥシステムのピークレートと平均スループットなどが大幅に向上され、アンテナダイバーシティ、ビームフォーミング、空間多重などのアンテナ技術がＬＴＥシステムにおいて広く応用される。
【０００３】
ＬＴＥシステムのアンテナの数が増加することに伴い、アンテナ故障の確率も増加する。アンテナの故障が発生する場合、システム機能が急激に低下する。
【発明の概要】
【発明が解決しようとする課題】
【０００４】
これを鑑みて、本発明の実施形態は、アンテナ故障の補償方法及び装置を提供し、アンテナの故障が発生する場合、システム機能に対して補償を行い、無線通信システムの機能を向上させる。
【課題を解決するための手段】
【０００５】
上記の目的を実現するために、本発明の実施形態に係る技術方案は下記のように実現される。
【０００６】
第一形態において、本発明の実施形態はアンテナ故障の補償方法を提供し、直交周波数分割多重（ＯＦＤＭ）システムに用いられ、各アンテナのノイズエネルギーに基づいて、周波数オフセット推定値を補正することと、補正された周波数オフセット推定値に基づいて、シンボル間の周波数オフセット補償位相とシンボル内の周波数オフセット補償位相を取得することと、前記シンボル間の周波数オフセット補償位相と前記シンボル内の周波数オフセット補償位相に基づいて、周波数オフセット補償を行うことと、を含む。
【０００７】
一例の実施形態において、各アンテナのノイズエネルギーに基づいて、周波数オフセット推定値を補正する前に、前記方法は、受信されたパイロットシンボルに対してチャネル推定を行い、チャネル推定値を取得することと、前記チャネル推定値に基づいて、前記周波数オフセット推定値及び前記ノイズエネルギーを取得することと、を更に含む。
【０００８】
一例の実施形態において、前記チャネル推定値に基づいて、前記周波数オフセット推定値及び前記ノイズエネルギーを取得することは、前記チャネル推定値に対してフィルタリングを行うことと、フィルタリングする前のチャネル推定値及びフィルタリングされたチャネル推定値に基づいて、前記ノイズエネルギーを取得することと、前記チャネル推定値に基づいて、前記アンテナの位相差を計算することと、前記位相差に基づいて、前記周波数オフセット推定値を取得することと、を含む。
【０００９】
一例の実施形態において、前記アンテナのノイズエネルギーに基づいて、周波数オフセット推定値を補正することは、
0006490236.tif 000002
【００１０】
である公式に基づいて取得され、
ここで、
0006490236.tif 000003
【００１１】
が補正された周波数オフセット推定値であり、
0006490236.tif 000004
【００１２】
が補正された位相差であり、ここで、
0006490236.tif 000005
【００１３】
、
0006490236.tif 000006
【００１４】
、
0006490236.tif 000007
【００１５】
が前記ノイズエネルギーであり、
0006490236.tif 000008
【００１６】
が前記チャネル推定値であり、
0006490236.tif 000009
【００１７】
がキャリアインデックス番号であり、
0006490236.tif 000010
【００１８】
がアンテナインデックス番号であり、
0006490236.tif 000011
【００１９】
がタイムスロットインデックス番号であり、Ｍがキャリアの数である。
【００２０】
一例の実施形態において、前記補正された周波数オフセット値に基づいて、シンボル間の周波数オフセット補償位相を取得することは、通常のサイクリックプレフィックス（ＣＰ：Ｃｙｃｌｉｃ  Ｐｒｅｆｉｘ）に対して、前記シンボル間の周波数オフセット補償位相が
0006490236.tif 000012
【００２１】
であり、拡張のＣＰに対して、前記シンボル間の周波数オフセット補償位相が
0006490236.tif 000013
【００２２】
であり、ここで、
0006490236.tif 000014
【００２３】
が補正された周波数オフセット推定値であり、
0006490236.tif 000015
【００２４】
がキャリアインデックス番号であり、
0006490236.tif 000016
【００２５】
がタイムスロットインデックス番号であり、１ｄａｔａがシンボル間の操作である。
【００２６】
一例の実施形態において、前記補正された周波数オフセット推定値に基づいて、シンボル内の周波数オフセット補償位相を取得することは、
0006490236.tif 000017
【００２７】
である公式に基づいて取得され、
ここで、
0006490236.tif 000018
【００２８】
がシンボル内の周波数オフセット補償位相であり、
0006490236.tif 000019
【００２９】
が補正された周波数オフセット推定値であり、
0006490236.tif 000020
【００３０】
がキャリアインデックス番号であり、
0006490236.tif 000021
【００３１】
がシンボルインデックス番号であり、
0006490236.tif 000022
【００３２】
がタイムスロットインデックス番号であり、Ｍがキャリアの数であり、２ｄａｔａがシンボル内の操作である。
【００３３】
一例の実施形態において、前記シンボル間の周波数オフセット補償位相と前記シンボル内の周波数オフセット補償位相に基づいて、周波数オフセット補償を行うことは、前記シンボル間の周波数オフセット補償位相と前記シンボル内の周波数オフセット補償位相に基づいて、周波数オフセット補償係数
0006490236.tif 000023
【００３４】
を決定し、ここで、
0006490236.tif 000024
【００３５】
がシンボル間の周波数オフセット補償位相であり、
0006490236.tif 000025
【００３６】
がシンボル内の周波数オフセット補償位相であり、
0006490236.tif 000026
【００３７】
がキャリアインデックス番号であり、
0006490236.tif 000027
【００３８】
がシンボルインデックス番号である。
【００３９】
第二形態において、本発明の実施形態はアンテナ故障の補償装置を提供し、直交周波数分割多重（ＯＦＤＭ）システムに用いられ、受信されたパイロットシンボルに対してチャネル推定を行い、チャネル推定値を取得するように構成される推定モジュールと、前記チャネル推定値に基づいて、各アンテナのノイズエネルギーを取得するように構成される取得モジュールと、前記ノイズエネルギーに基づいて、周波数オフセット推定値を補正するように構成される補正モジュールと、補正された周波数オフセット推定値に基づいて、周波数オフセット補償を行うように構成される補償モジュールと、を備える。
【００４０】
一例の実施形態において、前記取得モジュールは、
前記チャネル推定値に対してフィルタリングを行うように構成されるフィルタリングサブモジュールと、
フィルタリングする前のチャネル推定値及びフィルタリングされたチャネル推定値に基づいて、前記ノイズエネルギーを取得するように構成される取得サブモジュールと、を備える。
【００４１】
一例の実施形態において、前記補償モジュールは、前記補正された周波数オフセット推定値に基づいて、シンボル間の周波数オフセット補償位相とシンボル内の周波数オフセット補償位相を取得し、前記シンボル間の周波数オフセット補償位相と前記シンボル内の周波数オフセット補償位相に基づいて、周波数オフセット補償を行うように構成される。
【００４２】
第三形態において、本発明の実施形態はコンピュータ記憶媒体を提供し、前記記憶媒体は、コンピュータ実行可能な命令のセットを含み、前記命令のセットが本発明の実施形態に記載の前記アンテナ故障の補償方法を実行するようにする。
【００４３】
本発明の実施形態に提供のアンテナ故障の補償方法及び装置において、まず、各アンテナのノイズエネルギーを利用して周波数オフセット推定値を補正し、次に、補正された周波数オフセット推定値を利用してシンボル間の周波数オフセット補償位相とシンボル内の周波数オフセット補償位相を取得し、そして、シンボル間の周波数オフセット補償位相と前記シンボル内の周波数オフセット補償位相に基づいて、周波数オフセット補償を行う。それにより、アンテナの故障が発生する場合、システム機能に対して補償を行い、無線通信システムの機能を向上させる。
【図面の簡単な説明】
【００４４】
【図１】本発明の実施形態におけるＯＦＤＭシステムのシステム構造模式図である。
【図２】本発明の実施形態に係るアンテナ故障の補償方法のフローチャートである。
【図３】本発明の実施形態に係る二つのアンテナが正常状態にあるときのシステム機能の模式図である。
【図４】本発明の実施形態に係る二つのアンテナのうちの一つが正常状態にあり、他の一つに故障が発生するときのシステム機能の模式図である。
【図５】本発明の実施形態に係るアンテナ故障の補償装置の構造模式図である。
【発明を実施するための形態】
【００４５】
以下、本発明の実施形態における図面を参照して、本発明の実施形態に係る技術案に対して明確、完全に説明する。
【００４６】
本発明の実施形態がＯＦＤＭシステムを提供し、図１が本発明の実施形態におけるＯＦＤＭシステムのシステム構造模式図である。図１に示すように、該システムはダブル送受信の通信システムであり、即ち、基地局（ｅＮｏｄｅ  Ｂ）が二つのアンテナを利用してユーザディバイス（ＵＥ：Ｕｓｅｒ  Ｅｑｕｉｐｍｅｎｔ）からの信号を受信し、これにより、二つのアンテナのうちの一つのアンテナに故障が発生する場合、二つのアンテナによって受信されたデータの信号対雑音比が不均衡であり、ノイズエネルギーの差がかなり大きい、システム機能が急激に低下する。
【００４７】
上記の問題を解決するために、本発明の実施形態はアンテナ故障の補償方法を提供し、ＯＦＤＭシステムに用いられる。図２が本発明の実施形態に係るアンテナ故障の補償方法のフローチャートであり、図２に示すように、該方法は、Ｓ２０１〜Ｓ２０４を含む。
【００４８】
Ｓ２０１において、受信されたパイロットシンボルに対してチャネル推定を行い、チャネル推定値を取得する。
【００４９】
Ｓ２０２において、チャネル推定値に基づいて、各アンテナのノイズエネルギーを取得する。
【００５０】
まず、Ｓ２０１によって取得されたチャネル推定値に対してフィルタリングを行い、フィルタリングされたチャネル推定値を取得し、そして、フィルタリングする前のチャネル推定値、即ち、Ｓ２０１で取得されたチャネル推定値及びフィルタリングされたチャネル推定値に基づいて、ノイズエネルギーを取得する。
【００５１】
実際に応用する場合、フィルタリングする前のチャネル推定値とフィルタリングされたチャネル推定値の差に基づいて、各アンテナのノイズエネルギーを取得する。上記のチャネル推定値に対してフィルタリングを行うことは、最小二乗平均誤差（ＭＭＳＥ：Ｍｉｎｉｍｕｍ  Ｍｅａｎ  Ｓｑｕａｒｅ  Ｅｒｒｏｒ）フィルタリング方法又は高速フーリエ変換（ＦＦＴ：Ｆａｓｔ  Ｆｏｕｒｉｅｒ  Ｔｒａｎｓｆｏｒｍａｔｉｏｎ）フィルタリング方法を利用してもよく、当然、他のフィルタリング方法を利用してもよく、本発明の実施形態はこれに限定されない。
【００５２】
例えば、Ｓ２０１によってチャネル推定値
0006490236.tif 000028
【００５３】
を取得し、チャネル推定値に対してフィルタリングを行い、フィルタリングされたチャネル推定値
0006490236.tif 000029
【００５４】
を取得し、そして、フィルタリングする前のチャネル推定値とフィルタリングされたチャネル推定値との差を算出し、ノイズエネルギー
0006490236.tif 000030
【００５５】
を取得する。ここで、
0006490236.tif 000031
【００５６】
がキャリアインデックス番号であり、
0006490236.tif 000032
【００５７】
がアンテナインデックス番号であり、
0006490236.tif 000033
【００５８】
がタイムスロットインデックス番号である。
【００５９】
Ｓ２０３において、ノイズエネルギーに基づいて、周波数オフセット推定値を補正する。
【００６０】
実際に応用する場合、公式（１）を利用して周波数オフセット推定値を補正する。
【００６１】
0006490236.tif 000034
【００６２】
（１）
ここで、
0006490236.tif 000035
【００６３】
が補正された周波数オフセット推定値であり、
0006490236.tif 000036
【００６４】
が補正された位相差であり、
0006490236.tif 000037
【００６５】
、
0006490236.tif 000038
【００６６】
、
0006490236.tif 000039
【００６７】
がタイムスロット間のチャネル推定値の関連値であり、
0006490236.tif 000040
【００６８】
がタイムスロット間の時間間隔であり、Ｍがキャリアの数である。
【００６９】
ＬＴＥにおけるＯＦＤＭシステムに対して、
0006490236.tif 000041
【００７０】
である。当然、他の無線通信ネットワークにおけるＯＦＤＭに対して、実際の場合によって、
0006490236.tif 000042
【００７１】
が他の値であってもよく、本発明の実施形態はこれに限定されない。
【００７２】
Ｓ２０４において、補正された周波数オフセット推定値に基づいて、周波数オフセット補償を行う。
【００７３】
Ｓ２０３で補正された周波数オフセット推定値を取得して、補正された周波数オフセット推定値に基づいて、シンボル間の周波数オフセット補償位相とシンボル内の周波数オフセット補償位相をそれぞれ取得し、そして、シンボル間の周波数オフセット補償位相とシンボル内の周波数オフセット補償位相に基づいて、周波数オフセット補償を行う。
【００７４】
実際に応用する場合、通常のサイクリックプレフィックス（Ｃｙｃｌｉｃ  Ｐｒｅｆｉｘ：ＣＰ）に対して、公式（２）を利用してシンボル間の周波数オフセット補償位相を取得してよく、拡張のＣＰに対して、公式（３）を利用してシンボル間の周波数オフセット補償位相を取得してよい。
【００７５】
0006490236.tif 000043
【００７６】
（２）
0006490236.tif 000044
【００７７】
（３）
ここで、１ｄａｔａがシンボル間の操作である。
【００７８】
公式（４）を利用してシンボル内の周波数オフセット補償位相を取得してもよい。
【００７９】
0006490236.tif 000045
【００８０】
（４）
ここで、
0006490236.tif 000046
【００８１】
がシンボル内の周波数オフセット補償位相であり、２ｄａｔａがシンボル内の操作である。
【００８２】
シンボル間の周波数オフセット補償位相とシンボル内の周波数オフセット補償位相を取得した後、シンボル間の周波数オフセット補償位相とシンボル内の周波数オフセット補償位相に基づいて、周波数オフセット補償係数
0006490236.tif 000047
【００８３】
を決定し、周波数オフセット補償係数に基づいて周波数オフセット補償を行う。
【００８４】
以下、具体的な実施例によって上記のアンテナ故障の補償方法のフォローチャートに対して説明する。
【００８５】
実施例一
ＯＦＤＭシステムの二つのアンテナがそれぞれ正常状態にあることを想定し、システムの周波数オフセットが０Ｈｚである。
【００８６】
ステップ１において、Ｎｏｄｅ  Ｂは、二つのアンテナによって受信されたパイロットシンボルに対してチャネル推定をそれぞれ行い、一つのアンテナの二つのタイムスロットのチャネル推定値である
0006490236.tif 000048
【００８７】
と
0006490236.tif 000049
【００８８】
を取得し、他のアンテナの二つのタイムスロットのチャネル推定値である
0006490236.tif 000050
【００８９】
と
0006490236.tif 000051
【００９０】
を取得する。
【００９１】
ステップ２において、Ｎｏｄｅ  Ｂは二つのアンテナの位相差を計算し、位相差に基づいて周波数オフセット推定値が１０Ｈｚであることを算出する。
【００９２】
ステップ３において、Ｎｏｄｅ  Ｂは二つのアンテナのチャネル推定値に対してＭＭＳＥフィルタリングを行う。
【００９３】
ステップ４において、Ｎｏｄｅ  Ｂはフィルタリング前後のチャネル推定値に基づいて二つのアンテナのノイズエネルギーが
0006490236.tif 000052
【００９４】
と
0006490236.tif 000053
【００９５】
であることを算出する。
【００９６】
ステップ５において、Ｎｏｄｅ  Ｂは各アンテナのノイズエネルギーを利用して周波数オフセットを補正し、補正された周波数オフセット推定値が８Ｈｚであることを取得する。
【００９７】
ステップ６において、Ｎｏｄｅ  Ｂは補正された周波数オフセット推定値を利用して周波数オフセット補償を行う。
【００９８】
図３は本発明の実施形態に係る二つのアンテナが正常状態にあるときのシステム機能の模式図である。図３に示すように、二つのアンテナが正常状態にある場合、本発明の実施形態に記載のアンテナ故障の補償方法がシステム機能に対して悪い影響を与えないことは明らかである。
【００９９】
実施例二
ＯＦＤＭシステムの二つのアンテナの内の一つが正常状態にあり、他の一つが故障になることを想定し、この場合、システムの周波数オフセットが０Ｈｚである。
【０１００】
ステップ１において、Ｎｏｄｅ  Ｂは、二つのアンテナによって受信されたパイロットシンボルに対してチャネル推定をそれぞれ行い、一つのアンテナの二つのタイムスロットのチャネル推定値である
0006490236.tif 000054
【０１０１】
と
0006490236.tif 000055
【０１０２】
を取得し、他の一つのアンテナの二つのタイムスロットのチャネル推定値である
0006490236.tif 000056
【０１０３】
と
0006490236.tif 000057
【０１０４】
を取得する。
【０１０５】
ステップ２において、Ｎｏｄｅ  Ｂは二つのアンテナの位相差を計算し、位相差に基づいて周波数オフセット推定値が２００Ｈｚであることを算出する。
【０１０６】
ステップ３において、Ｎｏｄｅ  Ｂは二つのアンテナのチャネル推定値に対してＭＭＳＥフィルタリングを行う。
【０１０７】
ステップ４において、Ｎｏｄｅ  Ｂはフィルタリング前後のチャネル推定値に基づいて二つのアンテナのノイズエネルギーが
0006490236.tif 000058
【０１０８】
と
0006490236.tif 000059
【０１０９】
であることを算出する。
【０１１０】
ステップ５において、Ｎｏｄｅ  Ｂは各アンテナのノイズエネルギーを利用して周波数オフセットを補正し、補正された周波数オフセット推定値が１５Ｈｚであることを取得する。
【０１１１】
ステップ６において、Ｎｏｄｅ  Ｂは補正された周波数オフセット推定値を利用して周波数オフセット補償を行う。
【０１１２】
図４は本発明の実施形態に係る二つのアンテナの内の一つが正常状態にあり、他の一つが故障になるときのシステム機能の模式図である。図４に示すように、二つのアンテナの一つが正常状態にあり、他の一つが故障になる場合、本発明の実施形態に記載のアンテナ故障の補償方法が、アンテナ故障の場合にシステム機能を大幅に向上させることは明らかである。
【０１１３】
上記により、まず、各アンテナのノイズエネルギーを利用して周波数オフセット推定値を補正し、次に、補正された周波数オフセット推定値を利用してシンボル間の周波数オフセット補償位相とシンボル内の周波数オフセット補償位相を取得し、そして、シンボル間の周波数オフセット補償位相と前記シンボル内の周波数オフセット補償位相に基づいて、周波数オフセット補償を行う。それにより、アンテナ故障が発生する場合、システム機能に対して補償を行い、無線通信システムの機能を向上させる。
【０１１４】
同じ発明の思想に基づいて、本発明の実施形態はアンテナ故障の補償装置を提供し、上記の１つ又は複数の実施例に記載のアンテナ故障の補償方法を実行することができる。
【０１１５】
図５は本発明の実施形態に係るアンテナ故障の補償装置の構造模式図である。図５に示すように、当該装置は、受信されたパイロットシンボルに対してチャネル推定を行い、チャネル推定値を取得するように構成される推定モジュール５１と、前記チャネル推定値に基づいて、各アンテナのノイズエネルギーを取得するように構成される取得モジュール５２と、前記ノイズエネルギーに基づいて、周波数オフセット推定値を補正するように構成される補正モジュール５３と、補正された周波数オフセット推定値に基づいて、周波数オフセット補償を行うように構成される補償モジュール５４と、を備える。
【０１１６】
取得モジュール５２は、チャネル推定値に対してフィルタリングを行うように構成されるフィルタリングサブモジュールと、フィルタリングする前のチャネル推定値及びフィルタリングされたチャネル推定値に基づいて、ノイズエネルギーを取得するように構成される取得サブモジュールと、を備える。
【０１１７】
補償モジュール５４は、補正された周波数オフセット推定値に基づいて、シンボル間の周波数オフセット補償位相とシンボル内の周波数オフセット補償位相を取得し、シンボル間の周波数オフセット補償位相とシンボル内の周波数オフセット補償位相に基づいて、周波数オフセット補償を行うように構成される。
【０１１８】
上記の推定モジュール５１、取得モジュール５２、補正モジュール５３と補償モジュール５４はアンテナ故障の補償装置における中央処理装置（ＣＰＵ：Ｃｅｎｔｒａｌ  Ｐｒｏｃｅｓｓｉｎｇ  Ｕｎｉｔ）、マイクロプロセッサー（ＭＰＵ：Ｍｉｃｒｏ  Ｐｒｏｃｅｓｓｉｎｇ  Ｕｎｉｔ）、デジタル信号処理装置（ＤＳＰ：Ｄｉｇｉｔａｌ  Ｓｉｇｎａｌ  Ｐｒｏｃｅｓｓｏｒ）、又はフィールドプログラマブルゲートアレイ（ＦＰＧＲ：Ｆｉｅｌｄ−Ｐｒｏｇｒａｍｍａｂｌｅ  Ｇａｔｅ  Ａｒｒａｙ）により実現される。
【０１１９】
本分野の当業者であれば、本願の実施形態が方法、システム、或いはコンピュータプログラム製品を提供してよいことを理解すべきである。従って、本願は、ハードウエア実施例、ソフトウエア実施例、或いはソフトウエアとハードウエアを結合する実施例の形式を採用してよい。また、本願は１つ或いは複数の、コンピュータプログラムコードを含んでいるコンピュータ記憶媒体により実施されるコンピュータプログラム製品という形を採用してよく、前記記憶媒体はディスクストレージと光学記憶装置などを含むが、それらに限らない。
【０１２０】
本願は本願実施形態による方法、装置、及びコンピュータプログラム製品のフローチャート及び／又はブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサで１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【０１２１】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【０１２２】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【０１２３】
以上は、本発明の好適な実施例に過ぎず、本発明の保護範囲を限定するものではない。
【産業上の利用可能性】
【０１２４】
本発明の実施形態におけるアンテナ故障の補償方法及び装置において、まず、各アンテナのノイズエネルギーを利用して周波数オフセット推定値を補正し、次に、補正された周波数オフセット推定値を利用してシンボル間の周波数オフセット補償位相とシンボル内の周波数オフセット補償位相を取得し、そして、シンボル間の周波数オフセット補償位相と前記シンボル内の周波数オフセット補償位相に基づいて、周波数オフセット補償を行う。それにより、アンテナ故障が発生する場合、システム機能に対して補償を行い、無線通信システムの機能を向上させる。
【図１】
0006490236.tif 000088
【図２】
0006490236.tif 000089
【図３】
0006490236.tif 000090
【図４】
0006490236.tif 000091
【図５】
0006490236.tif 000092